(57)【要約】      （修正有）【課題】手持ち本体とフロスの角度を変えることができる歯間清掃用具を提供する。【解決手段】歯間清掃用具は、デンタルフロスロール２と共に用いるように適合されており、本体３およびフロスホルダ４を含んでいる。本体３はデンタルフロスロール２を受け入れるように構成された受け入れスペース３６を画定している。フロスホルダ４は本体３に枢動可能に接続されており、受け入れスペース３６と空間的に連通している案内チャンネル４５を画定している。フロスホルダ４は固定端５６および開放端４２１を有しており、開放端４２１は固定端５６から離間していて、案内チャンネル４５を外部環境と空間的に連通させるための開口が形成されている。デンタルフロスロール２の使用されるべきセグメント２１は、フロスホルダ４の固定端５６において固定されるように、案内チャンネル４５を介して開放端５６の開口を通して延在可能である。【選択図】図３
2014138855.tif 000002
【特許請求の範囲】
【請求項１】
デンタルフロスロール（２）と共に用いるように適合された歯間清掃用具であって、前記歯間清掃用具がデンタルフロスロール（２）を受け入れるように構成された受け入れスペース（３６）を画定する本体（３）を含み、
前記歯間清掃用具が、前記本体（３）に枢動可能に接続され、前記受け入れスペース（３６）と空間的に連通している案内チャンネル（４５）を画定するフロスホルダ（４）を更に含んでおり、前記フロスホルダ（４）は固定端（５６）と、前記固定端（５６）から離間していて前記案内チャンネル（４５）を外部環境と空間的に連通させるための開口が形成されている開放端（４２１）とを含んでいて、デンタルフロスロール（２）の使用されるべきセグメント（２１）が、前記フロスホルダ（４）の前記固定端（５６）において固定されるように、前記案内チャンネル（４５）を介して前記開放端（５６）の前記開口を通して延在可能であることを特徴とする、歯間清掃用具。
【請求項２】
前記本体（３）が接続部分（３３）を有していて、前記フロスホルダ（４）は、前記本体（３）の前記接続部分（３３）に接続されていて前記接続部分（３３）に対して回転可能であり且つ前記開放端（４２１）が設けられている弓状部分（４２）を含んでいることを特徴とする、請求項１に記載の歯間清掃用具。
【請求項３】
前記本体（３）の前記接続部分（３３）にはスルーホール（３３１）が形成されていて、前記フロスホルダ（４）は、前記弓状部分（４２）に接続されていて前記スルーホール（３３１）内へ延在するスリーブ部分（４１）を更に含んでおり、調整ユニット（５）は、前記スリーブ部分（４１）内に延在し前記スリーブ部分（４１）において保持されている調整ネジ（５１）、および前記調整ネジ（５１）に共回転可能に結合していて前記調整ネジ（５１）と協働して前記フロスホルダ（４）の前記固定端（５６）を形成する調整キャップ（５２）を含んでいることを更に特徴とする、請求項２に記載の歯間清掃用具。
【請求項４】
前記調整キャップ（５２）には非円形のスルーボア（５２４）が形成されていて、前記調整ネジ（５１）は、前記非円形のスルーボア（５２４）を通して延在し前記非円形のスルーボア（５２４）に対応した非円形断面を有する部分（５１３）を有しており、これにより、前記調整キャップ（５２）および前記調整ネジ（５１）を共回転可能に結合することを更に特徴とする、請求項３に記載の歯間清掃用具。
【請求項５】
前記調整キャップ（５２）にはスルーボア（５２４）および係合トレンチ（５２５）が形成されていて、前記係合トレンチ（５２５）は前記スルーボア（５２４）から半径方向外向きに延在して前記スルーボア（５２４）と空間的に連通しており；
前記調整ネジ（５１）が、前記調整キャップ（５２）に当接するように配置されているヘッド部分（５１１）、前記ヘッド部分（５１１）に接続されていて前記調整キャップ（５２）の前記スルーボア（５２４）を通して延在しているシャンク部分（５１２）、および前記シャンク部分（５１２）から突出していて前記調整キャップ（５２）の前記係合トレンチ（５２５）に係合する連結部分（５１３）を有している：
ことを更に特徴とする、請求項３に記載の歯間清掃用具。
【請求項６】
前記調整キャップ（５２）には２つの前記係合トレンチ（５２５）が形成されていて、前記調整ネジ（５１）はそれぞれ前記係合トレンチ（５２５）に係合する２つの前記連結部分（５１３）を有していることを更に特徴とする、請求項５に記載の歯間清掃用具。
【請求項７】
前記調整キャップ（５２）が、前記係合トレンチ（５２５）が形成されている第１包囲部分（５２２）、および前記第１包囲部分（５２２）上に配置されていて前記調整ネジ（５１）の前記ヘッド部分（５１１）と協働して前記ヘッド部分（５１１）との間で前記デンタルフロスロール（２）の前記セグメント（２１）を固定するように配置されている第２包囲部分（５２３）を含んでいて、前記第１包囲部分（５２２）および前記第２包囲部分（５２３）を通して前記スルーボア（５２４）が形成されていることを更に特徴とする、請求項５および６のいずれか一項に記載の歯間清掃用具。
【請求項８】
前記第２包囲部分（５２３）が、前記調整ネジ（５１）の前記ヘッド部分（５１１）に当接するように配置されている当接セクション（５２３１）、および前記当接セクション（５２３１）に接続されていて前記第１包囲部分（５２２）をカバーするように前記当接セクション（５２３１）と協働する包囲セクション（５２３２）を有していることを更に特徴とする、請求項７に記載の歯間清掃用具。
【請求項９】
前記調整ネジ（５１）の前記シャンク部分（５１２）が、前記ヘッド部分（５１１）から遠位にあり雄ネジ山（５１４）が形成されている遠位端を有しており、前記フロスホルダ（４）が：
前記案内チャンネル（４５）に配置されていて、前記調整ネジ（５１）を前記スリーブ部分（４１）において保持するように、且つ、前記スリーブ部分（４１）を前記本体（３）の前記接続部分（３３）に枢動可能に接続するように前記調整ネジ（５１）の前記雄ネジ山（５１４）と係合しているネジナット（４１４）；および
前記スリーブ部分（４１）と前記ネジナット（４１４）との間で前記案内チャンネル（４５）に配置されていて、使用されるべきセグメント（２１）に接続されているデンタルフロスロール（２）の隠れているセグメントをクランプするように構成されているクランプユニット（４１０）；
を更に含んでいることを更に特徴とする、請求項５〜８のいずれか一項に記載の歯間清掃用具。
【請求項１０】
前記クランプユニット（４１０）が２つのクランププレート（４１６、４１７）を含んでいることを更に特徴とする、請求項９に記載の歯間清掃用具。
【請求項１１】
前記フロスホルダ（４）の前記スリーブ部分（４１）が、前記接続部分（３３）の前記スルーホール（３３１）から露出していて雄ネジ山（４１３１）が形成されている露出セグメント（４１３）を有しており、前記調整ユニット（５）が、前記接続部分（３３）と前記調整キャップ（５２）との間に配置されていて前記スリーブ部分（４１）の前記露出セグメント（４１３）における前記雄ネジ山（４１３１）と係合している調整ナット（５３）を更に含んでいることを更に特徴とする、請求項３〜１０のいずれか一項に記載の歯間清掃用具。
【請求項１２】
前記フロスホルダ（４）の前記スリーブ部分（４１）が、ベースセグメント（４１１）、および前記ベースセグメント（４１１）から前記接続部分（３３）の前記スルーホール（３３１）内へ延在していて前記ベースセグメント（４１１）の直径よりも小さな直径を有するポストセグメント（４１２）を更に有していて、前記露出セグメント（４１３）が前記ポストセグメント（４１２）から延在しており、前記調整ユニット（５）が、前記ポストセグメント（４１２）上に裾が広がっていて前記接続部分（３３）と前記ベースセグメント（４１１）との間に配置されている第１ワッシャ（５４）を更に含んでいることを更に特徴とする、請求項１１に記載の歯間清掃用具。
【請求項１３】
前記調整ユニット（５）が、前記ポストセグメント（４１２）上に裾が広がっていて前記調整ナット（５３）と前記接続部分（３３）との間に配置されている第２ワッシャ（５５）を更に含んでいることを更に特徴とする、請求項１２に記載の歯間清掃用具。
【請求項１４】
前記調整ユニット（５）が、前記本体（３）の前記接続部分（３３）の前記スルーホール（３３１）における前記スリーブ部分（４１）上に裾を広げているブッシング（５７）を更に含んでいることを更に特徴とする、請求項３〜１１のいずれか一項に記載の歯間清掃用具。
【発明の詳細な説明】
【技術分野】
【０００１】
関連出願との相互参照
この出願は２０１３年１月１７日に出願された台湾出願第１０２１０１８０４号の優先権を主張する。
【０００２】
本発明は清掃用具に関し、より詳細には歯間清掃用具に関する。
【背景技術】
【０００３】
欧州特許出願公開公報第０３３９９３５Ｂ１号はＦ字型の従来の歯間清掃用具を開示しており、該歯間清掃用具は、棒状のハンドル部分、該ハンドル部分から突出している、２つの棒状の離間した突出部分、およびこれらの突出部分の間でピンと張って伸びているデンタルフロスを含んでいる。従来の歯間清掃用具を使用するときには、デンタルフロスを歯間隙のうちの１つに置く必要がある。しかし、歯間隙は種々の方向に広がっている（例えば、切歯間の歯間隙は臼歯間の歯間隙とは異なる方向に広がっている）ため、従来の歯間清掃用具を用いて臼歯間の歯間隙を清掃するのは不都合である。
【発明の概要】
【発明が解決しようとする課題】
【０００４】
それゆえ、本発明の目的は、先行技術における上述の欠点を軽減することができる歯間清掃用具を提供することである。
【課題を解決するための手段】
【０００５】
従って、本発明の歯間清掃用具はデンタルフロスロールと共に用いるように適合されており、本体およびフロスホルダを含んでいる。
【０００６】
本体は、デンタルフロスロールを受け入れるように構成された受け入れスペースを画定している。
【０００７】
フロスホルダは、本体に枢動可能に接続されていて、受け入れスペースと空間的に連通している案内チャンネルを画定している。フロスホルダは、固定端および開放端を有しており、該開放端は、固定端から離間しており、案内チャンネルを外部環境と空間的に連通させるための開口が形成されている。
【０００８】
デンタルフロスロールの使用されるべきセグメントは、フロスホルダの固定端において固定されるように案内チャンネルを介して開放端の開口を通して延在可能である。
【０００９】
本発明の他の特徴および利点は、添付図面を参照した好適な実施形態の以下の詳細な説明において明らかになるであろう。
【図面の簡単な説明】
【００１０】
【図１】図１は、本発明による歯間清掃用具の第１の好適な実施形態の分解斜視図である。
【図２】図２は、第１の好適な実施形態の斜視図である。
【図３】図３は、第１の好適な実施形態の断面図である。
【図４】図４は、第１の好適な実施形態の拡大部分断面図である。
【図５Ａ】図５（Ａ）は、調整ネジを示すための、第１の好適な実施形態の断面図である。
【図５Ｂ】図５（Ｂ）は、調整キャップを示すための、第１の好適な実施形態の断面図である。
【図６】図６は、調整ネジおよび調整キャップを示す、第１の好適な実施形態の別の断面図である。
【図７】図７は、デンタルフロスロールのセグメントが調整ネジに巻き付けられていることを示す、第１の好適な実施形態のさらに別の断面図である。
【図８】図８は、フロスホルダが本体に枢動可能に接続されていることを示す、第１の好適な実施形態の概略上面図である。
【図９】図９は、歯間清掃用具を用いて使用者の口腔の前方に位置する歯間隙を清掃することを示す、第１の好適な実施形態の概略上面図である。
【図１０】図１０は、歯間清掃用具を用いて使用者の口腔の後方に位置する歯間隙を清掃することを示す、第１の好適な実施形態の概略上面図である。
【図１１】図１１は、ブッシングを含む、第１の好適な実施形態の変更例を示すための部分断面図である。
【図１２】図１２は、調整キャップの変形例を示す、第１の好適な実施形態の部分断面図である。
【図１３】図１３は、デンタルフロスロールが本体の長手方向に垂直なロール軸を有することを示す、第１の好適な実施形態の別の変更例の断面図である。
【図１４】図１４は、本発明による歯間清掃用具の第２の好適な実施形態の斜視図である。
【図１５】図１５は、第２の好適な実施形態の分解斜視図である。
【図１６】図１６は、第２の好適な実施形態の部分断面図である。
【図１７】図１７は、第２の好適な実施形態の調整キャップおよび調整ネジを示す断面図である。
【発明を実施するための形態】
【００１１】
本発明を更に詳しく説明する前に、本開示を通して、同様の要素は同じ参照数字で表されていることに留意すべきである。
【００１２】
図１〜３を参照すると、本発明による歯間清掃用具の第１の好適な実施形態は、歯間隙１（図９参照）を清掃するためのデンタルフロスロール２と共に用いるように適合されており、本体３およびフロスホルダ４を含んでいる。
【００１３】
本体３は、ハンドル部分３１、延在部分３２、および接続部分３３を有している。延在部分３２は、ハンドル部分３１の一方の側から延在していて、ハンドル部分３１の高さよりも低い高さを有している。接続部分３３は、延在部分３２に接続されていて、ハンドル部分３１から離間しており、スルーホール３３１が形成されている。本体３は、デンタルフロスロール２を受け入れるように構成された受け入れスペース３６を画定している。この実施形態において、本体３は、第１本体片３４および第２本体片３５を相互に固定することにより形成されている。
【００１４】
フロスホルダ４は、本体３に枢動可能に接続されていて、接続部分３３のスルーホール３３１内に延在しているスリーブ部分４１、およびスリーブ部分４１の一方の側から延在していて本体３の接続部分３３に対して回転可能である弓状部分４２を含んでいる。この実施形態において、フロスホルダ４は、第１および第２ホルダー片４３、４４を相互に固定することにより形成されている。ホルダー片４３、４４は、それらの間に案内チャンネル４５を協働的に画定している。
【００１５】
フロスホルダ４は、調整ユニット５を更に含んでおり、調整ユニット５は、スリーブ部分４１内に延在していてスリーブ部分４１において保持されている調整ネジ５１、および調整ネジ５１上に裾が広がり調整ネジ５１に共回転可能に結合している調整キャップ５２を含んでいる。この実施形態においては、図１に示されているように、また、更に図４を参照すると、調整キャップ５２には、スルーボア５２４、およびスルーボア５２４から半径方向外向きに延在してスルーボア５２４と空間的に連通している２つの対向する係合トレンチ５２５が形成されている。調整ネジ５１は、ヘッド部分５１１、シャンク部分５１２、および２つの連結部分５１３を有している。ヘッド部分５１１は、調整キャップ５２に当接するように配置されている。シャンク部分５１２は、ヘッド部分５１１の直径よりも小さな直径を有していて、ヘッド部分５１１に接続されており、調整キャップ５２のスルーボア５２４を通して延在している。それぞれの連結部分５１３はヘッド部分５１１に近接してシャンク部分５１２の外面から突出していて、調整キャップ５２の係合トレンチ５２５のうちのそれぞれの一方に係合しており、これにより、調整ネジ５１および調整キャップ５２が共回転可能に結合している。この実施形態において、調整キャップ５２は２つの係合トレンチ５２５を有していて、調整ネジ５１は２つの連結部分５１３を有しているが、１つの連結部分５１３および１つの係合トレンチ５２５でも充分であり得、そのため、それらの個数はこの実施形態の開示に限定されるべきではないことに留意すべきである。
【００１６】
この実施形態において、調整キャップ５２は、係合トレンチ５２５を伴って形成された第１包囲部分５２２、および第１包囲部分５２２に配置された第２包囲部分５２３を有している。第２包囲部分５２３は、調整ネジ５１のヘッド部分５１１に当接するように配置されている当接セクション５２３１、および当接セクション５２３１に接続されていて第１包囲部分５２２を覆うように当接セクション５２３１と協働する包囲セクション５２３２を有している。スルーボア５２４は、第１包囲部分５２２および第２包囲部分５２３を通して形成されている。更に図５（ａ）、５（ｂ）および６を参照すると、調整ネジ５１のシャンク部分５１２の外径Ｄ１は、シャンク部分５１２がスルーボア５２４内に受け入れられるように、調整キャップ５２のスルーボア５２４の内径Ｄ２よりもわずかに小さい（図５（ａ）および５（ｂ）を参照）。加えて、連結部分５１３が設けられている調整ネジ５１のセグメントは、係合トレンチ５２５およびスルーボア５２４により形成される断面形状に対応した非円形断面を有しており、これにより、調整ネジ５１と調整キャップ５２の第２包囲部分５２３とを共回転可能に結合している（図６を参照）。この実施形態において、連結部分５１３はスルーボア５２４の延在方向に延在するリブとして構成されており、各係合トレンチ５２５は、そこに連結部分５１３のうちのそれぞれの一方を収容するように構成されている。また、対向する連結部分５１３の側面間の距離Ｄ３は、連結部分５１３が係合トレンチ５２５内に受け入れられて調整ネジ５１を調整キャップ５２に共回転可能に結合させるように、係合トレンチ５２５の最内面間の距離Ｄ４よりも僅かに小さい。
【００１７】
図１、３および４をもう一度参照すると、この実施形態において、フロスホルダ４のスリーブ部分４１は、ベースセグメント４１１、ポストセグメント４１２、および露出セグメント４１３を有している。ポストセグメント４１２はベースセグメント４１１から接続部分３３のスルーホール３３１内へ延在していて、ベースセグメント４１１の直径よりも小さな直径を有している。露出セグメント４１３は、ポストセグメント４１２から延在していて、接続部分３３のスルーホール３３１から露出して、雄ネジ山４１３１が形成されている（図１および３を参照）。調整ユニット５は、調整ナット５３、第１ワッシャ５４および第２ワッシャ５５を更に含んでいる。調整ナット５３は接続部分３３と調整キャップ５２との間に配置されていて、露出セグメント４１３における雄ネジ山４１３１に係合している。第１ワッシャ５４はポストセグメント４１２上に裾が広げられ、接続部分３３とベースセグメント４１１との間に配置されている。第２ワッシャ５５はポストセグメント４１２上に裾が広げられ、調整ナット５３と接続部分３３との間に配置されている。
【００１８】
この実施形態において、調整ネジ５１のシャンク部分５１２はヘッド部分５１１から遠位にある遠位端を有していて、遠位端には雄ネジ山５１４が形成されている。フロスホルダ４はネジナット４１４を更に含んでおり、ネジナット４１４は、第２ホルダー片４４に形成されているナット受け入れ穴４４１内に受け入れられて、調整ネジ５１の雄ネジ山５１４と係合し、これにより、調整ネジ５１をスリーブ部分４１に保持し、且つ、スリーブ部分４１を本体３の接続部分３３に枢動可能に接続している。
【００１９】
好適には、図１および４に示されているように、フロスホルダ４はネジワッシャ４１８を更に含んでおり、ネジワッシャ４１８は、調整ネジ５１上に裾が広げられていて、ネジナット４１４に近接している。この実施形態において、ネジワッシャ４１８は、限定するものではないが、平ワッシャである（例えば、第３ワッシャはプラムワッシャであってもよい）。
【００２０】
図１、３および４に示されているように、本体３は実質的にストリップ形状で構成されていて、長手方向（Ｌ）を画定している。第２本体片３５にはデンタルフロスアウトレット３５２が形成されていて、第２ホルダー片４４にはデンタルフロスインレット４０１が形成されており、デンタルフロスインレット４０１はデンタルフロスアウトレット３５２と空間的に連通して、これにより、本体３の受け入れスペース３６とフロスホルダ４の案内チャンネル４５との間での空間的連通が確立されている。デンタルフロスロール２はロール軸（Ａ）を画定している。この実施形態において、デンタルフロスロール２のロール軸（Ａ）は本体３の長手方向（Ｌ）に平行である。
【００２１】
この実施形態において、フロスホルダ４はクランプユニット４１０を更に含んでおり、クランプユニット４１０は、スリーブ部分４１とネジナット４１４との間で案内チャンネル４５に配置されていて、ネジナット４１４から遠位側にあるように配置された第１クランププレート４１６、およびネジナット４１４に隣接して配置された第２クランププレート４１７を有している。こうして、デンタルフロスロール２の隠れているフロスセグメントは、デンタルフロスアウトレット３５２およびデンタルフロスインレット４０１を通過して、調整ネジ５１のシャンク部分５１２に巻き付けられ、クランプユニット４１０の第１および第２クランププレート４１６、４１７によりクランプされるように、受け入れスペース３６から引き出され得る。図７を参照すると、デンタルフロスロール２の隠れているフロスセグメントは、好適には、シャンク部分５１２に一回転半巻き付けられて、効果的なクランピングを与えている。
【００２２】
図３に示されているように、弓状部分４２は、調整ネジ５１、調整キャップ５２および本体３の接続部分３３と共に、第１開口６を協働的に画定している。フロスホルダ４の弓状部分４２には開放端４２１が設けられていて、開放端４２１には案内チャンネル４５を外部環境と空間的に連通させるための開口が形成されている。調整キャップ５２は調整ネジ５１と協働して固定端５６を形成しており、固定端５６は開放端４２１から離間している。隠れているフロスセグメントに接続されているデンタルフロスロール２の使用されるべきセグメント２１は、固定端５６において固定されるように（即ち、シャンク部分５１２に好適には時計方向に１回転もしくは２回転巻き付けられ、第２包囲部分５２３の当接セクション５２３１と調整ネジ５１のヘッド部分５１１との間でクランプされるように）、案内チャンネル４５を介して開放端４２１を通して延在可能である。ハンドル部分３１、延在部分３２、および接続部分３３は、協働して第２開口３７を画定しており、第２開口３７は、固定端５６から延在しているデンタルフロスロール２の延在セグメント２２により渡されている。この実施形態において、第１本体片３４には、本体３のハンドル部分３１に受け入れ溝３５１が形成されている（図３を参照）。また、本体３は、受け入れ溝３５１内に配置されて、デンタルフロスロール２の不要なセグメントを切り取るように構成された切断コンポーネント３８を好適には含んでいる。即ち、デンタルフロスロール２の使用済みのセグメントは、固定端５６および第２開口３７を通って受け入れ溝３５１まで引き出され、切断コンポーネント３８により切断され得る。この実施形態において、第１クランププレート４１６、第２クランププレート４１７、および調整キャップ５２の第２包囲部分５２３は、デンタルフロスロール２のセグメントに対する把持力を向上させるため、シリコーンでできている。しかし、その組成は、本発明の開示に限定されるべきではない。
【００２３】
スリーブ部分４１のベースセグメント４１１が、調整ネジ５１に係合するネジナット４１４と協働して、クランプユニット４１０の第１および第２クランププレート４１６、４１７をクランプしていることは、注目に値する。それゆえ、調整キャップ５２を回転させて調整ネジ５１を駆動させて回転させることにより、ネジナット４１４を、雄ネジ山５１４を介して第２クランププレート４１７へ向かう方向に、または第２クランププレート４１７から離れる方向に移動させ、これにより、第１および第２クランププレート４１６、４１７の締め具合を調整することができる。更に、弓状部分４２を回転させる際、同時に調整ユニット５が回転するため、デンタルフロスロール２の使用されるべきセグメント２１の張り具合には影響が及ばないことがある。
【００２４】
本発明の歯間清掃用具を組み立てる際、調整ネジ５１上でのネジナット４１４の運動のため、スリーブ部分４１と第１ワッシャ５４との間、およびスリーブ部分４１と第２ワッシャ５５との間で摩擦が発生する。そのため、使用者が弓状部分４２を引いてスリーブ部分４１を駆動させて回転させるときには、スリーブ部分４１に作用する摩擦により、弓状部分４２を所望の位置に保持することができる。
【００２５】
図３へ戻り、更には図８、９および１０を参照すると、使用者が本発明の歯間清掃用具を用いてその使用者の歯間隙１を清掃しようとする際、本体３とフロスホルダ４との間の角度を調整することにより、使用されるべきセグメント２１を種々の歯間隙１内に容易に置くことができる。例えば、使用者がその口腔の前方に位置する歯間隙１（例えば、切歯の間）をきれいにしようとする場合には、本体３に対するフロスホルダ４の角度を調整する必要はない。図１０に示されているように、使用者がその口腔の後方に位置する歯間隙１（例えば、臼歯の間）をきれいにしようとする場合には、使用者は、自らの手を使用し、本体３に対して適切な角度にまでフロスホルダ４を引いて回転させることができ、フロスホルダ４は、スリーブ部分４１と第１および第２ワッシャ５４、５５との間で生じる摩擦により保持され得る。
【００２６】
使用者は、その好みまたは要望に基づき、調整キャップ５２を回転させることにより、デンタルフロスロール２の使用されるべきセグメント２１の張り具合を調整することができることも、注目に値する。
【００２７】
図１１を参照すると、調整ユニット５の別の実施が示されており、この実施では第１および第２ワッシャ５４、５５が省かれていて、接続部分３３のスルーホール３３１におけるスリーブ部分４１のポストセグメント４１２上に裾が広げられたブッシング５７を含んでいる。弓状部分４２を所望の位置において保持するための摩擦は、ブッシング５７とポストセグメント４１２および接続部分３３のそれぞれとの間で発生する。
【００２８】
図１２を参照すると、調整キャップ５２の別の実施が示されており、この実施では第２包囲部分５２３の包囲セクション５２３２が省かれている。従って、使用者は、調整キャップ５２を回転させる際、第１包囲部分５２３と直接接触することができる。
【００２９】
図１３を参照すると、デンタルフロスロール２の別の実施が示されており、この実施は本体３の長手方向（Ｌ）に垂直なロール軸（Ａ）を有している。
【００３０】
図１４〜１７を参照すると、第１の好適な実施形態の場合と同様な、本発明による歯間清掃用具の第２の好適な実施形態が示されている。それらの実施形態間の相違は、調整ネジ５１および調整キャップ５２の構成、ならびに本体３の受け入れスペース３６がフロスホルダ４の案内チャンネル４５とどのように空間的に連通するかにある。
【００３１】
図１７に示されているように、スルーボア５２４は非円形の係合セクション５２５を有しており、調整ネジ５１は、非円形の係合セクション５２５を通して延在していて、非円形の係合セクション５２５に対応した非円形断面を有する連結部分５３を有している。この実施形態において、連結部分５１３は非円形の係合セクション５２５に対応した四辺形断面を有しており、これにより、調整ネジ５１と調整キャップ５２とを共回転可能に結合する。
【００３２】
図１６に示されているように、この実施形態では、また、第２本体片３５のデンタルフロスアウトレット３５２（図１を参照）は省かれていて、デンタルフロスインレット４０１が受け入れスペース３６に近接するスリーブ部分４１のベースセグメント４１１に形成されており、これにより、隠れているフロスセグメントが、デンタルフロスインレット４０１を介して受け入れスペース３６から案内チャンネル４５内へ水平に延在することを可能する。このような構成は、フロスホルダ４を回転させる際、第１の好適な実施形態と比較して、デンタルフロスロール２の隠れているフロスセグメントがデンタルフロスインレット４０１で詰まってしまうのを防ぎ、隠れているフロスセグメントの比較的円滑な導入を提供することができる。
【００３３】
要約すると、本発明による歯間清掃用具の弓状部分４２は、接続部分３３に対して回転するように引かれ得、スリーブ部分４１と接続部分３３との間で発生する摩擦により所望の位置で保持され得る。また、デンタルフロスロール２の使用されるべきセグメント２１の締め具合は、調整キャップ５２を回転させることにより調整され、調整ネジ５１に対するネジナット４１４の運動を介してクランプユニット４１０の締め具合を変える。
【００３４】
最も実用的且つ好適な実施形態であると考えられるものと結び付けて本発明を説明してきたが、この発明は開示されている実施形態に限定されず、最も広い解釈の精神および範囲内に含まれる種々のアレンジメントをカバーして、これにより全てのかかる変更例および等価のアレンジメントを包含すると意図されていることを理解されたい。
【図１】
2014138855.tif 000003
【図２】
2014138855.tif 000004
【図３】
2014138855.tif 000005
【図４】
2014138855.tif 000006
【図５Ａ】
2014138855.tif 000007
【図５Ｂ】
2014138855.tif 000008
【図６】
2014138855.tif 000009
【図７】
2014138855.tif 000010
【図８】
2014138855.tif 000011
【図９】
2014138855.tif 000012
【図１０】
2014138855.tif 000013
【図１１】
2014138855.tif 000014
【図１２】
2014138855.tif 000015
【図１３】
2014138855.tif 000016
【図１４】
2014138855.tif 000017
【図１５】
2014138855.tif 000018
【図１６】
2014138855.tif 000019
【図１７】
2014138855.tif 000020
【外国語明細書】
2014138855000001.pdf